(57)【要約】      （修正有）【課題】プリント画像の光沢メモリの発生を防止すると共に、ワックスのクリーニング部材の長寿命化と高い画像品質を得ることが可能な定着装置及び画像形成装置を提供する。【解決手段】未定着画像が転写された記録媒体Ｐを、加熱された定着部材１と加圧部材３間に設けた定着ニップ部Ｎに搬送して熱定着させる定着装置であり、未定着画像は、ワックスを含有するトナーを用いて形成され、定着部材１の表面のワックス汚れをクリーニング部材５により清掃するクリーニング装置を備え、クリーニング部５材が親水処理した多孔質ポリテトラフルオロエチレン（ＰＴＦＥ）であることを特徴とする。【選択図】図３
2019113733.tif 000002
【特許請求の範囲】
【請求項１】
未定着画像が転写された記録媒体を、加熱された定着部材と加圧部材間に設けた定着ニップ部に搬送して熱定着させる定着装置であり、
前記未定着画像は、ワックスを含有するトナーを用いて形成され、
前記定着部材の表面のワックスの汚れをクリーニング部材により清掃するクリーニング装置を備え、
前記クリーニング部材が親水処理した多孔質ポリテトラフルオロエチレンであることを特徴とする定着装置。
【請求項２】
請求項１に記載の定着装置を備えることを特徴とする画像形成装置。
【発明の詳細な説明】
【技術分野】
【０００１】
この発明は、未定着画像が転写された記録媒体を熱定着させる定着装置及びこの定着装置を備える電子写真方式や静電記録方式などの画像形成装置に関する。
【背景技術】
【０００２】
通常電子写真方式の画像形成装置に用いられる定着装置として、例えば定着ローラと加圧ローラによって定着ニップ部を形成し、その定着ニップ部でトナー像を担持した記録媒体の定着を行っている。
【０００３】
そのトナー像には、定着部材である、例えばテフロン（登録商標）表面にトナーが付着してしまうオフセットが発生したり、定着ローラへのトナーを担持した紙の巻付きが起こる問題があった。
【０００４】
そこで、従来のように定着ローラにシリコーンオイルなどの離型材の使用を抑え、替わりにワックスを添加したトナーを用いることで、加熱時にトナー中から溶融したワックスが定着ローラに供給され、オフセットの発生や紙の巻付きを抑えるという技術が開示されている（例えば、特許文献１参照）。
【０００５】
しかしながら、定着部材にワックスが付着してくるとそのワックスによるワックス潜像が形成され、次の画像に光沢ムラとなって現れる。
【０００６】
これを回避するために、定着部材に清掃回転体を接触させ、更に接触回転体をワックス融点より高温にし、接触回転体に清掃ウェブを接触させる手段をとった技術（例えば、特許文献２参照）、更に定着部材に、定着部材の表面の汚れを清掃するクリーニングユニットを設け、その下流側にワックス均一化部材を設けた技術もあるが、このような処置を施しても、ワックスによる光沢ムラは解決しなかった。
【０００７】
次に、本発明者らは、このワックスを効果的にとる方法として、多孔質ポリテトラフルオロエチレンをクリーニング部材として、使用する技術を開示した（特許文献３参照）。しかしこの微細な繊維でも効果は、十分でなかった。
【先行技術文献】
【特許文献】
【０００８】
【特許文献１】特開平３―１８５４５９号公報
【特許文献２】特開２００５−４３５３２号公報
【特許文献３】特開２０１３−２３１８９３号公報
【発明の開示】
【発明が解決しようとする課題】
【０００９】
このようにワックスを添加したトナーを用いて熱定着させると、トナーの中から溶融したワックスが定着部材の例えばパーフルオロアルコキシエチレン（ＰＦＡ）の表面にワックスが付着する。このワックスはトナー画像として残り、次のプリント画像に転写される。これが所謂光沢ムラ（以下光沢メモリとも言う）となる。特に目立つ画像は、画像面積の大きなベタ画像の時が顕著である。
【００１０】
この発明は、かかる点に鑑みてなされたもので、プリント画像の光沢メモリの発生を防止すると共に、ワックスのクリーニング部材の長寿命化と高い画像品質を得ることが可能な定着装置及び画像形成装置を提供することを目的とする。
【課題を解決するための手段】
【００１１】
かかる課題を解決するために、この発明は、以下のように構成した。
【００１２】
請求項１に記載の発明は、未定着画像が転写された記録媒体を、加熱された定着部材と加圧部材間に設けた定着ニップ部に搬送して熱定着させる定着装置であり、前記未定着画像は、ワックスを含有するトナーを用いて形成され、
前記定着部材の表面のワックス汚れをクリーニング部材により清掃するクリーニング装置を備え、前記クリーニング部材が親水処理した多孔質ポリテトラフルオロエチレン（ＰＴＦＥ）であることを特徴とする定着装置である。
【００１３】
請求項２に記載の発明は、請求項１に記載の定着装置を備えることを特徴とする画像形成装置である。
【図面の簡単な説明】
【００１４】
【図１】一般的な定着装置を示す図である。
【図２】光沢メモリが発生する概略図である。
【図３】実施の形態の定着装置を示す図である。
【図４】ウエブクリーニング方式の形態の定着装置を示す図である。
【図５】クリーニング部材の２層構造を示す概念図である。
【図６】画像形成装置の概略構成図である。
【発明を実施するための形態】
【００１５】
以下、この発明の定着装置及び画像形成装置の実施の形態について説明する。この発明の実施の形態は、発明の最も好ましい形態を示すものであり、この発明はこれに限定されない。
［定着装置］
【００１６】
（従来の実施の形態）
図１は一般的な定着装置を示す図、図２は光沢メモリが発生する概略図である。一般的な定着装置では、定着ローラ１はアルミニウム芯金に１５０μｍのシリコーン（Ｓｉ）ゴム、その上にフッ素樹脂（ＰＦＡ）チューブが被覆され、内蔵するヒーター２で加熱され、図示しない温度センサーで一定の温度に制御されている。加圧ローラ３は５ｍｍのシリコーン（Ｓｉ）ゴム、その上にフッ素樹脂（ＰＦＡ）チューブが被覆され、図示しない加圧バネで加圧され、定着ローラ１と加圧ローラ３とで定着ニップ部Ｎが形成されている。記録媒体Ｐに形成されたトナー像Ｔは図示する回転方向に送られ熱と圧力で定着される。分離板４は記録媒体Ｐが定着ローラ１にまきつくことを防止している。
【００１７】
次に、光沢メモリ発生の概略図では、図２（ａ）はトナー像Ｔを担持した記録媒体Ｐが定着ローラ１に移動している状態を示し、図２（ｂ）はトナー像Ｔが定着ニップ部Ｎを通過して定着されたトナー像（定着像）と定着ローラ１にトナー中のワックスが付着した状態を示し、図２（ｃ）はベタ画像に図２（ｂ）のワックス潜像が付着し、光沢ムラとなって表れた状態を示す。
【００１８】
（実施の形態）
実施の形態の定着装置を、図３に示す。この実施の形態の定着装置は、定着部材を構成する定着ローラ１と、加圧部材を構成する加圧ローラ３が対向して配置され、この定着ローラ１と加圧ローラ３との間に定着ニップ部Ｎが設けられる。定着ローラ１の内部にヒーター２が配置され、ヒーター２の温度は、図示しない温度制御部で制御される。未定着画像Ｔが転写された記録媒体Ｐを、定着ローラ１と加圧ローラ３間に設けた定着ニップ部Ｎに搬送して熱定着させ、未定着画像Ｔはワックスを含有するトナーを用いて形成されている。ワックスには、例えばパラフィン系ワックス、ポリオレフィン系ワックス、高級脂肪酸及びその金属塩、アミドワックス、エステル系ワックス等従来公知のワックスである。ワックスの含有率は７〜２３質量％が好ましいと言われ、ワックスの融点は７５〜１１０℃が一般的である。
【００１９】
定着ローラ１の表面の汚れをクリーニング部材５により清掃するクリーニング装置Ｋを備え、クリーニング部材５が親水処理した多孔質ポリテトラフルオロエチレン（ＰＴＦＥ）である。クリーニング部材５は、弾性発泡体５ａ上に被覆されてロール形状である。
【００２０】
一般的な定着装置では、トナーのワックス成分が、図２に示すように、定着ローラ１に残り、次の画像に光沢メモリとしてでるが、この実施の形態では、クリーニング部材５を当接することでワックスがクリーニングされ光沢メモリが発生しない。クリーニング部材５は弾性発泡体５ａ上に被覆され、ロール形状になっているため表面積も増え、クリーニング部材５の寿命が向上し同時に駆動負荷も低減される。
【００２１】
この親水処理した多孔質ポリテトラフルオロエチレン（ＰＴＦＥ）は、図４に示すクリーニング装置Ａの様に、クリーニングウェブ形状でも良いし、図５のように、引張強度が弱い多孔質ポリテトラフルオロエチレン（ＰＴＦＥ）を伸び難い材料で裏打ちしても良い。その裏打ちの詳細な材料は筆者が出願した特開２０１３−２３１８９３号公報に詳しく記載されている。裏打ち方法として、加熱加圧接着方法の他に例えば熱硬化型ＲＴＶシリコーンゴムで接着する方法もある。接着剤はこれに限定されるものではない。
【００２２】
図４に示すクリーニング装置Ａは、クリーニングウェブ６ａを元巻側６ｂと巻取り側６ｃの間に張力を持って張り巡らせ、押圧ローラ７によりクリーニングウェブ６ａを定着ローラ１の外周表面に接触させ、定着ローラ１の表面の汚れをクリーニングウェブ６ａにより清掃する構成である。
【００２３】
〔実施形態１〕
定着ローラ１は外径６０ｍｍで、鉄芯金の上にゴム硬度１８度（ＪＩＳ  Ａ）のシリコーンゴムが０．５ｍｍの厚さで、その上に５０μｍのフッ素樹脂（ＰＦＡ）チューブが被覆されている。加圧ローラ３は直径６０ｍｍでゴム硬度２５度（ＪＩＳ  Ａ）のシリコーンゴムが１０ｍｍの厚さで、その上に５０μｍのフッ素樹脂（ＰＦＡ）チューブが被覆されている。定着ローラ１には内部にヒーター２があり、図示しない温度制御部で１８０℃に制御されている。分離板４は鉄にパーフルオロアルコキシエチレン（ＰＦＡ）を焼付けたもので、記録媒体Ｐが定着ローラ１に巻付くのを防止している。クリーニングローラ５は、外径３０ｍｍで、外径１０ｍｍの鉄芯金の上にゴム硬度３０度（アスカーＣ）のシリコーン発泡体を１０ｍｍ付けた。その上に信越化学製ＫＥ−４４−Ｔの接着材を使用して、住友ファインポリマー社製のＨＰＷ−０４５−３０
（孔径０．４５μｍ・厚み３０μｍ）の親水処理した多孔質ポリテトラフルオロエチレン（ＰＴＦＥ）が設けてある。親水処理方法に関しては、例えば特願２００９−３２９８７で公知であるＰＶＡ水溶液を使用して多孔質ポリテトラフルオロエチレン（ＰＴＦＥ）に含侵する方法とか、プラズマ処理、コロナ放電による親水処理が一般的であり、どれを使用しても良い。
【００２４】
〔比較例−１〕
比較例として、実施形態１と同じ定着装置を使い、クリーニングローラ５の多孔質ポリテトラフルオロエチレン（ＰＴＦＥ）は、同一製造メーカの親水処理していないＨＰ−０４５−３０（孔径０．４５μｍ・厚み３０μｍ）を使用した。
【００２５】
〔評価方法〕
次に、定着ローラ１に残ったワックスの評価方法を述べる気。図４の定着装置を使い、図示しない画像を各１０枚・３０枚の連続コピー後、Ａ３のＯＨＰ用紙を通紙し、ＯＨＰ用紙に前の画像が残っているかで評価した。このＯＨＰ用紙にワックス像が出やすいことは、特開２００５−４３５３２号公報にも記載されており、評価しやすい方法である。
上記評価方法で、実施形態と比較例の評価を表―１に示す。
【００２６】
レベル１・２は不可  レベル３・４・５は許容レベル
【表１】
2019113733.tif 000003
【００２７】
表１のように親水処理した多孔質体ポリテトラフルオロエチレン（ＰＴＦＥ）と、親水処理しない多孔質体ポリテトラフルオロエチレン（ＰＴＦＥ）ではクリーニング性能に大きな差があることが分かる。理由は明確ではないがトナーのワックスとの濡れが親水処理することで、大幅に上がったためと予測する。
【００２８】
定着装置は１対の熱ローラ方式で説明したが、この方式に限らずベルトを使用するベルト定着方式でも良く、定着方式は当然限定されるものではない。さらに、定着ローラ、定着ベルトに直接ワックス除去部材を当接せずに、例えば外部加熱ローラにワックス除去部材を当て、外部加熱ローラに付着したワックスを除去する方法でも良く、当接する相手の部材を限定させるものではない。また、オフセットトナーを除去するクリーニング部材が必要でない定着装置も有り、オフセットトナーを除去するクリーニング部材の有無も限定されるものではない。クリーニング部材の形状として、ローラ状・ウェブ状で説明したが、例えば、金属・プラスティックの板に巻きつけた簡単な形状でも良いことは当然である。
【００２９】
［画像形成装置］  
図１は定着装置が搭載された画像形成装置の全体構成を示す概略図であり、この実施の形態では画像形成装置として電子写真複写機（以下、単に「複写機」という。）に搭載した例を示している。
【００３０】
図６において、複写機１００は、外部から伝達された画像データに応じて、転写材として所定の用紙（記録用紙）に対して多色または単色の画像を形成するものである。ただし、この実施の形態では単色の画像を形成する複写機を例示している。
【００３１】
この複写機１００は、原稿処理部１０、給紙部２０、画像形成部３０及び排紙部１５を備えている。原稿処理部１０は、装置本体１０１に、原稿載置台１１、原稿搬送部１２及び原稿読取部１３を備えている。
【００３２】
原稿載置台１１は、透明ガラスからなり、原稿が載置可能な構成となっている。原稿搬送部１２は、原稿トレイ１２ａに積載された原稿を１枚ずつ搬送する。原稿搬送部１２は、紙面奥方向に回動自在に構成され、原稿載置台１１の上を開放することにより原稿載置台１１に原稿を置くことができるようになっている。原稿読取部１３は、原稿搬送部１２で搬送中の原稿または原稿載置台１１に載置された原稿を読み取るものであり、ミラー群１３ａ、集光レンズ１３ｂ及び撮像素子（ＣＣＤ）１３ｃを備えている。
【００３３】
給紙部２０は、給紙カセット２１及びピックアップローラ２２を備えている。ピックアップローラ２２は、給紙カセット２１の端部近傍に設けられ、給紙カセット２１から用紙（記録用紙）Ｐを１枚ずつピックアップして用紙搬送路２５に供給する。
【００３４】
画像形成部３０は、感光体ドラム３１、帯電器３２、現像器３３、クリーナ部３４、露光ユニット３５、転写ローラ３６を備える。画像形成部３０では、感光体ドラム３１上にトナー像を形成し、このトナー像を転写ローラ３６により用紙（記録用紙）Ｐに転写し、この感光体ドラム３１と転写ローラ３６とにより転写部Ｂが構成される。
【００３５】
画像形成部３０は、電子写真方式によるものであり、帯電機器３２へのバイアス印加によって表面を一様に帯電した感光ドラム３１に、読み取りデータに基づいて露光ユニット３５からレーザ光を照射して静電潜像を形成する。この静電潜像を現像器３３によりトナー現像して可視像化する。また、トナー像の形成と同期するように、装置本体１０１の下部に装着された給紙カセット２１に装填されている用紙Ｐをピックアップローラ２２によってピックアップし、搬送ローラ３７によって感光ドラム３１と転写ローラ３６との間のニップ部へ搬送する。そして、転写ローラ３６へのバイアス印加によって感光ドラム３１上のトナー像を用紙Ｐに転写して画像形成する。トナー像が転写された用紙Ｐは定着装置３８に送られ、加熱、加圧されることによってトナー像が定着された後、排出ローラ３９によって排紙部１５に排出される。
【００３６】
装置本体１０１の背面１０１ａ側には、主に画像形成部３０で発生する熱を吸引して外部に排出するための吸引ファン１６が設けられており、この吸引ファン１６には、装置本体１０１内の各部から熱を効率的に吸引するための吸引ダクトが設けられている。
［定着装置］
【００３７】
この定着装置３８は、未定着画像が転写された記録媒体を、加熱された定着部材と加圧部材間に設けた定着ニップ部に搬送して熱定着させる定着装置であり、未定着画像は、ワックスを含有するトナーを用いて形成され、定着部材の表面のワックス汚れをクリーニング部材により清掃するクリーニング装置を備え、クリーニング部材が親水処理した多孔質ポリテトラフルオロエチレン（ＰＴＦＥ）であり、前記実施の形態のものが用いられる。
【００３８】
この定着装置３８を備える画像形成装置は、この実施の形態に限定されず、他の電子写真方式や静電記録方式などの画像形成装置にも適用することができる。
【産業上の利用可能性】
【００３９】
この発明は、未定着画像が転写された記録媒体を熱定着させる定着装置、及びこの定着装置を備える電子写真方式や静電記録方式などの画像形成装置に適用でき、プリント画像の光沢メモリの発生を防止すると共に、ワックスのクリーニング部材の長寿命化と高い画像品質を得ることが可能である。
【符号の説明】
【００４０】
Ｔ  トナー
Ｐ  記録媒体
Ｎ  定着ニップ部
Ａ  クリーニング装置（本発明ワックス拭取り機能）
Ｋ  クリーニング装置（本発明ワックス拭取り機能）
１  定着ローラ
２  ヒーター
３  加圧ローラ
４  分離板
５  クリーニング部材（本発明部品ワックス拭取り機能）
【図１】
2019113733.tif 000004
【図２】
2019113733.tif 000005
【図３】
2019113733.tif 000006
【図４】
2019113733.tif 000007
【図５】
2019113733.tif 000008
【図６】
2019113733.tif 000009